(57)【要約】【課題】仕分けられたシート材の取り出し方向が自由に選択できる画像処理装置を提供することを目的としている。【解決手段】装置本体に設けられた排出部から排出される画像処理されたシート材を設定された枚数毎に選択された受け部に受けさせるようになっている画像処理装置において、受け部が外縁に沿って設けられた周回軌道を、その受け面を上方に向けながら移動するようになっているとともに、前記排出部が前記周回軌道の内側に設けられていることを特徴としている。【選択図】      図１
2005119852.tif 000002
【特許請求の範囲】
【請求項１】
装置本体に設けられた排出部から排出される画像処理されたシート材を設定された枚数毎に選択された受け部に受けさせるようになっている画像処理装置において、
受け部が外縁に沿って設けられた周回軌道を、その受け面を上方に向けながら移動するようになっているとともに、前記排出部が前記周回軌道の内側に設けられていることを特徴とする画像処理装置。
【発明の詳細な説明】
【技術分野】
【０００１】
本発明は、画像処理装置に関する。
【背景技術】
【０００２】
写真処理装置やデジタル画像プリンタ等の画像処理装置においては、画像処理装置から排出される画像処理済みのシート材をオーダー毎に仕分ける仕分け装置を備えたものがある。
このような画像処理装置として、図３および図４に示すような画像処理装置１００が既に提案されている（たとえば、特許文献１参照）。
【０００３】
すなわち、この画像処理装置１００は、装置本体２００と、仕分け装置３００とを備えている。装置本体２００は、内部で画像処理を行ったのち、画像処理済みのシート材（図示せず）を装置本体上部の幅方向の一側に設けられた排出部２１０から装置本体の幅方向の他側方向に向けて排出するようになっている。
仕分け装置３００は、ターンテーブル３１０上にその回転中心を中心にして複数の受け部３２０が放射状に設けられ、ターンテーブル３１０の回転によって受け部３２０のいずれか１つが排出部２１０を臨む位置にくるように、装置本体２００の上面に装着されている。
【０００４】
すなわち、この画像処理装置１００では、１つの受け部３２０に１オーダー分のシート材が受けられると、ターンテーブル３１０が回転してつぎの受け部３２０が排出部２１０を臨む位置に配置され、つぎのオーダーのシート材がつぎの受け部３２０に受けられるという工程を繰り返し、シート材を仕分けるようになっていて、すべての受け部３２０の上部が開放されているため、受け部３２０に受けられた仕分済みのシート材を取り出しやすいという利点を備えている。
【０００５】
【特許文献１】特開平８−８７０９９号公報
【発明の開示】
【発明が解決しようとする課題】
【０００６】
しかしながら、上記画像処理装置１００においては、排出部２１０が装置本体２００の一側部に設けられ、他方に露光装置等が設けられているため、オペレータ等が装置本体２００の他の2方からしか受け部３２０に仕分けられたシート材を取り出すことができない。
本発明は、上記事情に鑑みて、仕分けられたシート材の取り出し方向が自由に選択できる画像処理装置を提供することを目的としている。
【課題を解決するための手段】
【０００７】
上記目的を達成するために、本発明にかかる画像処理装置は、装置本体に設けられた排出部から排出される画像処理されたシート材を設定された枚数毎に選択された受け部に受けさせるようになっている画像処理装置において、受け部が外縁に沿って設けられた周回軌道を、その受け面を上方に向けながら移動するようになっているとともに、前記排出部が前記周回軌道の内側に設けられていることを特徴としている。
【発明の効果】
【０００８】
本発明にかかる画像処理装置は、以上のように、受け部が装置本体の外縁に沿う周回軌道上を移動するようになっているとともに、画像処理済みシート材の排出部が前記周回軌道の内側に設けられているので、受け部に受けられた仕分け済みのシート材の受け部からの取り出しを阻害する障害物が周回軌道の周りにない。したがって、オペレータ等が画像処理装置の周囲のいずれからでも仕分けられたシート材を取り出すことができる。
【発明を実施するための最良の形態】
【０００９】
以下に、本発明を、その実施の形態をあらわす図面を参照しつつ詳しく説明する。
図１は、本発明にかかる画像処理装置の1つの実施の形態であるインクジェットプリントシステムの出力装置をあらわしている。
【００１０】
図１に示すように、この出力装置１は、装置本体２と、仕分け装置３とを備えている。
装置本体２は、内部に設けられたインクジェット印刷装置（図示せず）が印刷用紙（図示せず）に入力装置４に入力されたデータに基づいて画像を印刷した後、画像処理済みシート材としてのプリント済み用紙５を装置本体２の上面に設けられた排出部２１から装置本体の外側に向かって排出するようになっている。
【００１１】
仕分け装置３は、装置本体２の上面部で装置本体２の外縁に沿う周回軌道を形成するように設けられたクレセントチェーンコンベヤ３１と、受け部となる複数の受け皿３２とを備えている。
【００１２】
受け皿３２は、受け面となる矩形の底板部３２ａと、対向するように立ち上がる底板部３２ａから側壁３２ｂと、底板部３２ａの側壁３２ｂに直交する一方の辺から立ち上がる中間部が切り欠かれた後壁３２ｃとを備え、後壁が常に周回軌道の外側を向くように、支持脚３３を介してクレセントチェーンコンベヤ３１の上面に固定されていて、クレセントチェーンコンベヤ３１の駆動に伴って周回軌道上を移送するようになっているとともに、クレセントチェーンコンベヤ３１の停止状態では、いずれかの受け皿３２が排出部２１を臨む位置に配置されるようになっている。
【００１３】
また、装置本体２の４方の壁面には、その上端部にクレセントチェーンコンベヤ３１の手動操作ボタン６が設けられ、オペレータ等が手動操作ボタン６を操作することによって、クレセントチェーンコンベヤ３１が正逆いずれの方向へも駆動回転するようになっている。
なお、図１、２中、２２は搬送ベルトである。
【００１４】
つぎに、この出力装置１の動作を詳しく説明する。
すなわち、この出力装置１は、クレセントチェーンコンベヤ３１の停止状態で、排出部２１を臨む位置に配置された受け皿３２に、排出部２１から排出される画像処理済みシートとしてのプリント済み用紙５が、入力装置４でオペレータによって入力設定された１オーダー分受けられると、クレセントチェーンコンベヤ３１が駆動してつぎの受け皿３２が排出部２１を臨む位置まで移動し、つぎのオーダー分のプリント済み用紙５を受ける工程を繰り返し、プリント済み用紙５を設定されたオーダー毎に仕分ける。
【００１５】
そして、このようにして仕分けられたプリント済み用紙５は、オペレータ等が手動操作ボタン６を押してクレセントチェーンコンベヤ３１を駆動させ、所望の受け皿３２をオペレータ等が立っている位置の近傍に来るまで移動させて受け皿３２から取り出されるようになっている。
【００１６】
この出力装置１は、以上のように、受け皿３２が装置本体２の外縁に沿って設けられた周回軌道を移動するようになっているので、出力装置１のいずれの方向からでも仕分けられたプリント済み用紙５を受け皿３２から取り出すことができる。したがって、設置場所の形状に応じて入力装置４と出力装置１との配置を自由に選択することができる。
また、クレセントチェーンコンベヤ３１の手動操作ボタン６を装置本体２のいずれの壁面にも設けるようにしたので、手動操作ボタン６を操作することによって、所望の受け皿３２をオペレータ等の手元に移動させることができ、いずれの受け皿３２に仕分けられたプリント済み用紙５もオペレータ等が移動することなく簡単に受け皿３２から取り出すことができる。また、手動操作ボタン６の操作によってクレセントチェーンコンベヤ３１を正逆いずれの方向にも駆動回転することができるので、より速く受け皿３２をオペレータ等の手元に移動させることができる。
【００１７】
さらに、受け皿３２が側壁３２ｂと、後壁３２ｃとを備えているので、排出部２１から底板部３２ａ上に排出されたプリント済み用紙５が底板部３２ａからずれ落ちたりすることがない。しかも、後壁３２ｃの中間部が切り欠かれているので、底板部３２ａからのプリント済み用紙５の取り出しも容易である。
【００１８】
本発明にかかる画像処理装置は上記の実施の形態に限定されない。たとえば、上記の実施の形態では、４箇所に手動操作ボタン６が設けられていたが、１箇所でも構わないし、なくても構わない。
また、上記の実施の形態では、画像処理装置がインクジェットプリントシステムの出力装置であったが、現像処理装置（プロセッサ）や電子写真式の複写機でも構わない。
【００１９】
上記の実施の形態では、受け皿がクレセントチェーンコンベヤによって周回軌道上を移動するようになっていたが、受け皿の駆動手段は、ベルトコンベヤやローラコンベヤ等を周回軌道を形成するように複数組み合わせたようなものでも構わない。
【図面の簡単な説明】
【００２０】
【図１】本発明にかかる画像処理装置の１つの実施の形態であるインクジェットプリントシステムの出力装置をあらわす斜視図である。
【図２】図１のＸ−Ｘ線断面図である。
【図３】従来の画像処理装置の平面図である。
【図４】図３のＹ方向矢視図である。
【符号の説明】
【００２１】
１  出力装置（画像処理装置）
２  装置本体
２１  排出部
３  受け皿（受け部）
３２ａ  底板部（受け面）
５  プリント済み用紙（画像処理済みシート材）
【図１】
2005119852.tif 000003
【図２】
2005119852.tif 000004
【図３】
2005119852.tif 000005
【図４】
2005119852.tif 000006